(57)【要約】【課題】  引き出しに容易且つ確実に装着することができる仕切板を提供する。  【解決手段】  引き出し４の内部を仕切る仕切板６であって、矩形状に形成された可撓性平板状部材の両側縁及び下縁の中央部を切り欠いた状態に形成することにより、引き出し４の側壁４ａと接する摺接部６ｂ，６ｂ；６ｃ，６ｃを両側縁の両端部に備え、引き出し４の底壁４ｄと接する当接部６ｄ，６ｄを下縁の両端部に備える。  【選択図】  図１
2006340741.tif 000002
【特許請求の範囲】
【請求項１】
引き出しの内部を仕切る仕切板であって、
矩形状に形成された可撓性平板状部材の両側縁及び下縁の中央部を切り欠いた状態に形成することにより、引き出しの側壁と接する摺接部を両側縁の両端部に備え、引き出しの底壁と接する当接部を下縁の両端部に備える仕切板。
【請求項２】
内部が仕切板により仕切られる引き出しを備えた収納家具であって、
前記仕切板は、矩形状に形成された可撓性平板状部材の両側縁及び下縁の中央部を切り欠いた状態に形成することにより、前記引き出しの側壁と接する摺接部を両側縁の両端部に備え、前記引き出しの底壁と接する当接部を下縁の両端部に備える収納家具。
【請求項３】
前記引き出しは、側壁の内面下部に係合突部を備えており、
前記仕切板は、前記係合突部と係合する切欠部が側端面の下部に形成されている請求項２に記載の収納家具。
【請求項４】
前記切欠部は、下部の幅が下方に拡がるように形成されている請求項３に記載の収納家具。
【請求項５】
前記仕切板は、前記引き出しの側壁上縁に係止されるフック部を側端面の上端部に備える請求項２から４のいずれかに記載の収納家具。
【発明の詳細な説明】
【技術分野】
【０００１】
本発明は、引き出しの内部を仕切る仕切板、及び、内部が仕切板により仕切られる引き出しを備えた収納家具に関する。
【背景技術】
【０００２】
収納ケースやキャビネットなどの引き出しを有する収納家具においては、引き出しの内部空間を有効に活用するため、所望の位置に仕切板を着脱できるように構成されたものが従来から知られている。
【０００３】
例えば、特許文献１に開示された引き出しの仕切り構造は、複数の仕切板を交差状態に組み合わせて装着されるように構成されており、長さが短い方の仕切板の両側縁が、ポリプロピレン等の可撓性樹脂からなる引き出しの内壁に形成された嵌合溝に沿って挿入される。
【特許文献１】実用新案登録第３０７２８７１号公報
【発明の開示】
【発明が解決しようとする課題】
【０００４】
ところが、仕切板が装着される引き出しは、樹脂成形後の収縮や収納物の自重などによって反りやねじれ等の変形が生じやすいため、嵌合溝への仕切板の挿入が困難になったり、装着後の仕切板が不意に外れたりするおそれがあった。
【０００５】
また、上記特許文献１に記載の構成においては、仕切板を保持するための嵌合溝が、引き出しの深さ方向の略全体にわたって延びるように形成された一対のリブにより構成されるため、例えば、樹脂成形により形成される深型の引き出しにおいては、成形されたリブに曲がりが生じ、これによっても仕切板の装着が困難になるおそれがあった。嵌合溝は、一対のリブを形成する以外に、引き出しの側壁を切り欠いて形成することもできるが、この場合は加工の過程でバリを生じるおそれがあり、やはり仕切板の装着の妨げになるおそれがあった。
【０００６】
そこで、本発明は、引き出しに容易且つ確実に装着することができる仕切板の提供を目的とし、更に、このような仕切板が装着された引き出しを有する収納家具の提供を目的とする。
【課題を解決するための手段】
【０００７】
本発明の前記目的は、引き出しの内部を仕切る仕切板であって、矩形状に形成された可撓性平板状部材の両側縁及び下縁の中央部を切り欠いた状態に形成することにより、引き出しの側壁と接する摺接部を両側縁の両端部に備え、引き出しの底壁と接する当接部を下縁の両端部に備える仕切板により達成される。
【０００８】
また、本発明の前記目的は、内部が仕切板により仕切られる引き出しを備えた収納家具であって、前記仕切板は、矩形状に形成された可撓性平板状部材の両側縁及び下縁の中央部を切り欠いた状態に形成することにより、前記引き出しの側壁と接する摺接部を両側縁の両端部に備え、前記引き出しの底壁と接する当接部を下縁の両端部に備える収納家具により達成される。
【０００９】
この収納家具において、前記引き出しは、側壁の内面下部に係合突部を備えることが好ましく、前記仕切板は、前記係合突部と係合する切欠部が側端面の下部に形成されていることが好ましい。この構成において、前記切欠部は、下部の幅が下方に拡がるように形成されていることが好ましい。
【００１０】
また、前記仕切板は、前記引き出しの側壁上縁に係止されるフック部を側端面の上端部に備えることが好ましい。
【発明の効果】
【００１１】
本発明によれば、引き出しに容易且つ確実に装着することができる仕切板を提供することができ、更に、このような仕切板が装着された引き出しを有する収納家具を提供することができる。
【発明を実施するための最良の形態】
【００１２】
以下、本発明の実態形態について添付図面を参照して説明する。図１は、本発明の一実施形態に係る仕切板が装着された引き出しを有する収納家具の斜視図である。
【００１３】
図１に示す収納家具１は、ケース本体２に引き出し４がスライド収容される引き出し式の収納ケースであり、引き出し４にはＣＤやＤＶＤなどが収納される。
【００１４】
引き出し４は、樹脂や金属などの可撓性材料からなり、側壁４ａ，４ａの内面下部に、一対の係合突部４ｂ，４ｂが互いに対向するように設けられている。一対の係合突部４ｂ，４ｂは、鉛直方向に延びるリブ状に形成されており、引き出し４のスライド方向に沿って等間隔に複数配置されている。
【００１５】
また、引き出し４の側壁４ａ，４ａにおける外面には、外方に張り出す上部に形成された一対の係止溝４ｃ，４ｃが設けられている。一対の係止溝４ｃ，４ｃは、一対の係合突部４ｂ，４ｂと対応して、引き出し４のスライド方向に沿って複数配置されている。
【００１６】
引き出し４には、内部空間を仕切る仕切板６が着脱自在に装着される。仕切板６は、引き出し４と同様に可撓性材料により矩形状に形成された平板状の部材であり、枠体６１及び枠体６１内に格子状に配置された桟材６２によって補強されている。桟材６２により形成された各格子の内部には、窓部６ａが形成されている。
【００１７】
図２に示すように、仕切板６は、正面視において、両側縁及び下縁の中央部を切り欠いた状態に形成されている。即ち、枠体６１の両側部を構成する側枠６１１，６１２は、中央部が内側に屈曲しており、これによって、仕切板６の両側縁の上下両端部には、外方に突出する摺接部６ｂ，６ｂ；６ｃ，６ｃが形成されている。同様に、枠体６１の下部を構成する下枠６１３は、中央部が上側に屈曲しており、これによって、仕切板６の下縁の左右両端部には、下方に突出する当接部６ｄ，６ｄが形成されている。
【００１８】
側枠６１１，６１２の上端部は鉤状に屈曲しており、これによってフック部６ｅ，６ｅが形成されている。また、枠体６１の上部を構成する上枠６１４は、上面にラベルなどを貼着した際に視認し易いように、手前側に傾斜して設けられている。
【００１９】
側枠６１１（６１２も同様）は、図３に示すように、側面視において上部から中央部に向けて厚みが薄くなるように形成されており、下部が下方に向けて厚みが拡がるように形成されている。側端面の下部には、下端から上方に延びるように形成された切欠部６ｆが形成されている。切欠部６ｆの下部は、側枠６１１の厚みに合わせて、下方に向けて幅が徐々に拡がるように形成されている。
【００２０】
以上の構成によれば、図１に示すように、引き出し４に上方から仕切板６を挿入すると、仕切板６の摺接部６ｂ，６ｂ；６ｃ，６ｃが引き出し４の側壁４ａの内面を摺動する。仕切板６の切欠部６ｆ及びフック部６ｅは、引き出し４の側壁４ａに設けられた係合突部４ｂ及び係止溝４ｃにそれぞれ係合し、これによって装着された仕切板６の位置決め及び固定が行われる。この状態で、仕切板６の当接部６ｄ，６ｄは、引き出し４の底壁４ｄに当接する。本実施形態においては、切欠部６ｆの下部が下方に拡がるように形成されているので、係合突部４ｂへの切欠部６ｆの係合を容易に行うことができる。
【００２１】
仕切板６は、上方へ引き抜くことで容易に取り外すことができ、所望の位置に再び装着して仕切り位置を容易に変更することができる。なお、仕切板６の上枠６１４には、収納物の分類などを表すラベルＬを貼着することができる。
【００２２】
本実施形態の収納家具は、仕切板６を引き出し４に装着した際に、仕切板６の外周縁全体ではなく、摺接部６ｂ，６ｂ；６ｃ，６ｃ及び当接部６ｄ，６ｄが引き出し４の内壁と接するように構成されているので、仕切板６は、引き出し４から変形の拘束を受けにくくなり、弾性変形の自由度を高めることができる。したがって、引き出し４の成形工程や収納物の自重などにより引き出し４に反りやねじれ等が生じることで、仕切板６に引き出し４から外そうとする力が作用しても、仕切板６が弾性変形することによりこの外力を緩和することができるので、仕切板６が引き出し４に装着された状態を確実に維持することができる。
【００２３】
また、仕切板６を上記の構成にすることにより、仕切板６を装着したときに、仕切板６自体が変形することによって、仕切板６の装着に伴う引き出し４の変形を抑制することができるので、ケース本体２への引き出し４の出し入れをスムーズに安定して行うことができる。
【００２４】
以上、本発明の一実施形態について詳述したが、本発明の具体的な態様は上記実施形態に限定されない。例えば、本実施形態においては、引き出し４に対する仕切板６の位置決めを主な目的として、仕切板６に切欠部６ｆ及びフック部６ｅを形成し、これらが引き出し４の係合突部４ｂ及び係止溝４ｃにそれぞれ係合するように構成しているが、仕切板６には切欠部６ｆ又はフック部６ｅのいずれか一方のみを形成した構成であってもよく、引き出し４はこれに対応して係合突部４ｂ又は係止溝４ｃのいずれか一方のみを設けてもよい。また、仕切板６の位置決め手段は、本実施形態の構成に限定されず、例えば、仕切板６の側端面に一又は複数の凹部又は凸部を設け、これが引き出し４の側壁４ａの内面に形成した凸部又は凹部と係合するように構成してもよい。更に、仕切板６の位置決め手段を設けずに、仕切板６の摺接部６ｂ，６ｂ；６ｃ，６ｃ及び当接部６ｄ，６ｄと、引き出し４の側壁４ａ及び底壁４ｄとの接触によって、仕切板６の装着状態を維持することも可能である。
【００２５】
また、本実施形態においては、本発明を収納ケースに適用した場合について説明したが、机、タンス、キャビネット、サイドボードなど引き出しを有する他の収納家具に適用することも可能である。
【図面の簡単な説明】
【００２６】
【図１】本発明の一実施形態に係る仕切板が装着された引き出しを有する収納家具の斜視図である。
【図２】図１に示す仕切板の正面図である。
【図３】図１に示す仕切板の側面図である。
【符号の説明】
【００２７】
１  収納ケース（収納家具）
２  ケース本体
４  引き出し
４ａ  側壁
４ｂ  係合突部
４ｃ  係止溝
４ｄ  底壁
６  仕切板
６ｂ，６ｃ  摺接部
６ｄ  当接部
６ｅ  フック部
６ｆ  切欠部
【図１】
2006340741.tif 000003
【図２】
2006340741.tif 000004
【図３】
2006340741.tif 000005